(57)【要約】【課題】フラップにより蓋部を構成する包装箱において、フラップに無理な負荷をかけることなく容易に開封、封緘でき、収納物の盛り上がりを許容し蓋を閉じることができるようにする。【解決手段】包装箱２は、第１〜第４側壁部２０，２２，２４，２６の上端部より夫々延出され、内側へ折り曲げられることにより蓋部を形成する第１〜第４蓋部フラップ３０，３２，３４，３６を備えている。第１蓋部フラップ３０には、第１側壁部２０と反対側の上端縁から第１蓋部フラップ３０の一部を切り欠くことにより第２蓋部フラップ３２側にスリット５０が形成され、第２蓋部フラップ３２には、第２蓋部フラップ３２の第１蓋部フラップ３０側の側端縁から第２蓋部フラップ３２の一部を切り欠くことにより第１蓋部フラップ３０側に挿込片５２が形成されている。【選択図】  図３
0003107830.tif 000002
【実用新案登録請求の範囲】
【請求項１】
矩形の底部と、
該底部の周囲に立設された４つの側壁部と、
該各側壁部の上端部にそれぞれ連設され、内側へ折り曲げられることにより蓋部を形成する４つのフラップと、
を備えた包装箱であって、
４つのフラップのうちの１つである第１フラップには、該第１フラップの側壁部と反対側の上端縁から該第１フラップの一部を切り欠くことによりスリットが形成され、
前記第１フラップに隣接するフラップのうちの１つである第２フラップには、該第２フラップの前記第１フラップ側の側端縁から前記第２フラップの一部を切り欠くことにより、各フラップを折り曲げた際、前記スリットに挿通可能な挿込片が形成されること、
を特徴とする包装箱。
【請求項２】
前記第２フラップには、
該第２フラップの第１フラップ側で且つ側壁部側の角部を原点としたとき、第２フラップの前記側端縁を０度として略４５度の方向に引いた境界線の原点から中点までの部分を含む切り欠きにより、前記境界線の外側に前記挿込片が形成され、
該挿込片には、
該第２フラップの前記上端縁と平行で且つ前記中点を通る線を中心線として前記境界線と線対称となる折線が形成され、
前記スリットは、
前記挿込片を前記折線で折り畳んだ状態で挿通可能なスリット幅を有すること、
を特徴とする請求項１に記載の包装箱。
【請求項３】
前記底部には、水抜き穴が形成されていることを特徴とする請求項２に記載の包装箱。
【請求項４】
前記底部は、前記４つの側壁部の各下端から延出したフラップにより構成され、
当該包装箱は、４つの側壁部を１方向に連設し、連設方向に沿って各側壁部の上下両端縁にフラップを連設することにより１枚のシート材により構成されていること、
を特徴とする請求項３に記載の包装箱。
【請求項５】
該包装箱の材質が段ボール紙製であることを特徴とする、請求項４に記載の包装箱。
【考案の詳細な説明】
【技術分野】
【０００１】
本考案は、物品を収納し封緘できる包装箱に関する。
【背景技術】
【０００２】
従来より、底部、側壁部、及び蓋部からなる略直方体の段ボール製の包装箱において、蓋部が、４つの側壁部の上端から夫々延出された４つのフラップによって形成されるものが知られている。
このような蓋部を備えた包装箱においては、一般に、物品を包装箱に収納した後、フラップを内側へ折り曲げ、ステープル又は粘着テープで固定し封緘する方法が用いられてきた。しかしながら、この方法ではステープル、粘着テープのコストがかかり、またステープルを使用する際にはステープラーを必要とする上、開封時にステープルが誤って包装箱の内部に落下して収納物の中に入り込み、物品又は物品の取り扱い者を傷つける可能性があった。
一方、上記問題を回避する方法として、蓋部のフラップを順に重ね合わせ井桁組みにすることで封緘する方法も知られている。この方法ではステープル等の封緘材料を必要としないためコストが抑えられ、また、収納物を傷つける危険性も少ない。しかしながら、この方法では、フラップを交差させるのに大きな力を必要とし、この力によるフラップの変形、皺が発生する等の問題がある。そこで、このような問題の改善を目的として、フラップの端部を切り落とす、フラップへ切り込みを入れる、といったことが提案されている（例えば特許文献１等参照）。
【特許文献１】実用新案登録第３１０３１２８号公報
【考案の開示】
【考案が解決しようとする課題】
【０００３】
しかしながら、フラップを重ね合わせ、井桁組みにして封緘する方法において、開封、封緘を繰り返すような場合には特に最初と最後に折り曲げるフラップに対して繰り返し外力が加わり、フラップの変形、皺の発生等により蓋全体の強度が低下するおそれがあった。
また、例えば作業性を改善するためにフラップの端部を切り落とし、フラップ同士の重なり部分を少なくした箱を使用した場合、収納物が側壁部の上端より形成される面より上に盛り上がっている際にはフラップが十分に重ならず蓋を閉じることができないことが起こりうるという問題があった。
【０００４】
本考案は、こうした問題に鑑みなされたもので、フラップに無理な負荷をかけることなく蓋を容易に開封、封緘可能であり、収納物の盛り上がりを許容し蓋を閉じることができる包装箱を提供することを目的とする。
【課題を解決するための手段】
【０００５】
係る目的を達成するためになされた請求項１に記載の考案は、矩形の底部と、該底部の周囲に立設された４つの側壁部と、該各側壁部の上端部にそれぞれ連設され、内側へ折り曲げられることにより蓋部を形成する４つのフラップと、を備えた包装箱であって、４つのフラップのうちの１つである第１フラップには、該第１フラップの側壁部と反対側の上端縁から該第１フラップの一部を切り欠くことによりスリットが形成され、前記第１フラップに隣接するフラップのうちの１つである第２フラップには、該第２フラップの前記第１フラップ側の側端縁から前記第２フラップの一部を切り欠くことにより、各フラップを折り曲げた際、前記スリットに挿通可能な挿込片が形成されること、を特徴としている。
このような包装箱によれば、蓋を閉じる際は、まず４つのフラップのうち、挿込片もスリットも有しない２つのフラップを内側に折り曲げ、次にスリットを備えた第１フラップと、挿込片を備えた第２フラップを同時に内側に折り曲げながら挿込片をスリットに挿通すればよく、蓋を開ける際は、まず挿込片をスリットから引き抜き、次に各フラップを順に元に戻せばよい。従って、フラップの他の部分に無理な負荷をかけることなく容易に開封、封緘することができ、開封、封緘を繰り返すような場合にも蓋の強度を低下させることがない。
更に、このように蓋を封緘した際、スリットまたは挿込片を有するフラップは、他の２つのフラップの上に折り重なるため、スリットと挿込片の噛合部は他の２つのフラップの上部にある。この構成により、噛合部は上下方向の自由度を有し、ある程度の収納物の盛り上がりを許容して蓋を閉じることができるため、蓋を閉じる際に収納物に無理な力が加えられることがなく、収納物を傷つけずに収納することができる。
尚、スリットと挿込片の形状、位置を変化させることで上下方向の自由度を変化させることができる。
ところで、この包装箱においては、１箇所の噛合部において蓋を封緘するため、スリット及び挿込片に無理な力が加わることにより噛合部が破損することを防止する必要がある。
このため、請求項２に記載のように、第２フラップには、第２フラップの第１フラップ側で且つ側壁部側の角部を原点としたとき、第２フラップの側端縁を０度として略４５度の方向に引いた境界線の原点から中点までの部分を含む切り欠きにより境界線の外側に挿込片が形成され、この挿込片には第２フラップの上端縁と平行で且つ前記中点を通る線を中心線として、境界線と線対称となる折線が形成され、スリットは、挿込片を折線で折り畳んだ状態で挿通可能なスリット幅を有することが好ましい。
このようにすれば、挿込片の端部をスリットに合わせた最適な形状に常に折り畳むことができ、スリット及び挿込片に無理な力を加えることなく、より容易に挿込片をスリットに挿通できる。
一方、本考案の包装箱は、請求項３に記載のように、底部に水抜き穴が形成されていることが好ましい。
このようにすれば、野菜や果物のように水滴の出るおそれがある物品を収納する場合であっても、これらの物品から出る水滴を良好に排出することができる。
そして、このような包装箱は、請求項４に記載のように、４つの側壁部は１方向に繋がり、側壁部の上下に蓋部、底部をなすフラップを設け、１枚のシート材により構成されていることが好ましい。
このようにすれば、包装箱を構成するシート材の面積を最小限にすることができ、製造原価を低減することができる。
そして、このような包装箱の材質は、組立可能であれば何を用いても良く、例えば厚紙等の紙材料やアルミ板等の金属であっても良いが、請求項５に記載のように、段ボールであることが好ましい。
このように、段ボールを使用すれば、加工が容易であると共に、十分な強度を確保しつつ、製造原価を抑えることができる。
【考案を実施するための最良の形態】
【０００６】
以下、本考案が適用された実施形態を図面と共に説明する。
図１は、本実施形態の包装箱２を示す展開図である。
包装箱２は、白菜やキャベツ等の野菜を梱包し、搬送する際に使用されるものであって、段ボールからなる１枚のシート材４を予め定められた折線に沿って折り曲げることにより組み立てられる。
このシート材４は、図１に示すように、第１側壁部２０、第２側壁部２２、第３側壁部２４、第４側壁部２６と、各側壁部の一方の端に連設された第１底部フラップ１０、第２底部フラップ１２、第３底部フラップ１４、第４底部フラップ１６と、各他端に連設された第１蓋部フラップ３０、第２蓋部フラップ３２、第３蓋部フラップ３４、第４蓋部フラップ３６と、を備えている。
このシート材４において、第１側壁部２０と第２側壁部２２、第２側壁部２２と第３側壁部２４は順に隣接し、また第１側壁部２０の第２側壁部２２との接続端と反対側の端縁に第４側壁部２６が隣接しており、各側壁部は１方向に連設されている。
尚、包装箱２は直方体であり、シート材４の長手方向の辺の長さは第１側壁部２０と第３側壁部２４、第２側壁部２２と第４側壁部２６で夫々等しく、第１側壁部２０と第３側壁部２４の辺は第２側壁部２２と第４側壁部２６の辺よりも長くなっている。
またこのシート材４には、端部に位置する第３側壁部２４及び第４側壁部２６を接続するための接続部材９０が設けられている。この接続部材９０は、壁面部接続部９０ａとフラップ接続部９０ｂとを備え、壁面部接続部９０ａは、第３側壁部２４の端縁に連設されており、フラップ接続部９０ｂは壁面部接続部９０ａの蓋部フラップ側、底部フラップ側の端縁に夫々連設されている。
また第１蓋部フラップ３０には、第１側壁部２０と反対側の上端縁から第１蓋部フラップ３０の一部を切り欠くことにより第２蓋部フラップ３２側にスリット５０が形成され、第２蓋部フラップ３２には、第２蓋部フラップ３２の第１蓋部フラップ３０側で且つ側壁部側の角部を原点とし、第１蓋部フラップ３０側の側端縁を０度として４５度の方向に引いた境界線の原点から中点までの部分を、段ボール厚より広い幅で切り欠くことにより、この境界線より外側の部分に挿込片５２が形成されている。
そして、この挿込片５２には、第２蓋部フラップ３２の上端縁と平行で且つ境界線の中点を通る線を中心線として境界線と線対称となる折線５４が形成されている。尚、この折線５４より端の部分である端部５２ａは、折り畳み易く、元に戻し易い形状とするために、先端の一部が切り落とされている。
一方、スリット５０のスリット幅は挿込片５２の端部５２ａを折り畳んだ状態で挿通可能な幅に設定されている。
次に、第１底部フラップ１０、第３底部フラップ１４は各々水抜き穴６８，７０を備えている。また、第２底部フラップ１２、第４底部フラップ１６は、包装箱２が組み立てられる際、第１底部フラップ１０と第３底部フラップ１４に形成された水抜き穴６８，７０に重なる位置に各々水抜き穴７２、７４を備えている。これらの水抜き穴６８，７０，７２，７４は、例えば、野菜や果物等の水分を多く含んだ内容物から水滴が出てきた場合に、この水滴を排除するために形成されている。
次に、このシート材４から包装箱２を組み立てる手順について図２〜図４を用いて説明する。図２は包装箱２の壁面部及び底部を組み立てた状態を示す斜視図、図３は挿込片５２をスリット５０に挿通し、さらに蓋部を組み立てて完成した状態を示す斜視図、図４（ａ）、図４（ｂ）はともに図３に示す領域Ａの拡大図でありスリット５０と挿込片５２の噛合部を示す。図４（ａ）は挿込片５２をスリット５０に挿通する際の様子を表し、図４（ｂ）は挿込片５２を挿通後、端部５２ａを元に戻したときの状態を表している。
包装箱２は、図１に示すシート材４より、以下に示す手順により組み立てられる。
まず、シート材４において、各側壁部の境界線を折線として、各側壁部を直角に折り曲げる。そして接続部材９０に接着剤を塗布し、この接続部材９０とシート材４の端部に位置する第４側壁部２６とを接着剤を介して接着する。
なお、このとき、壁面部接続部９０ａは、第４側壁部２６と接着され、フラップ接続部９０ｂは、一方が第４底部フラップ１６と接着され、他方が第４蓋部フラップ３６と接着される。
そして、この状態において、まず第２底部フラップ１２と第４底部フラップ１６を直角に包装箱２の内側に折り曲げ、次にこれらに重なるように第１底部フラップ１０、第３底部フラップ１４を順に折り曲げ、例えば、ステープルにより４つの底部フラップを互いに接続する。
ここまでの手順を終了すると、包装箱２は、図２に示すような状態になる。
そして、図２に示す状態から、まず第３蓋部フラップ３４、第４蓋部フラップ３６を順に内側に折り曲げ、次に第２蓋部フラップ３２に形成された挿込片５２の端部５２ａを折り畳み、第１蓋部フラップ３０、第２蓋部フラップ３２を同時に内側に折り曲げながら、挿込片５２を第１蓋部フラップ３０に形成されたスリット５０に挿通し、挿通した状態で端部５２ａを元に戻す。以上により包装箱２の蓋は封緘される。
ここまでの手順を終了すると、包装箱２は、図３に示すような状態になる。
また、挿込片５２の端部５２ａを折り畳んだ状態でスリット５０に挿通すると、図４（ａ）に示す状態になる。
ここで、端部５２ａを元に戻すと、図４（ｂ）に示す状態になる。
上記に詳述したように、包装箱２おいては、蓋を閉じる際は第３蓋部フラップ３４、第４蓋部フラップ３６を任意に内側に折り曲げ、次に第１蓋部フラップ３０、第２蓋部フラップ３２を同時に内側に折り曲げながら挿込片５２をスリット５０に挿通し、蓋を開ける際は、まず挿込片５２をスリット５０から引き抜き、次に各フラップを順に元に戻せばよい。
従って、この包装箱２によれば、フラップの他の部分に無理な負荷をかけることなく容易に封緘、開封することができる。また、蓋の強度が低下することもないため、仮止めとしても使用できる。
更に、このように蓋を封緘した際、第１蓋部フラップ３０、第２蓋部フラップ３２は、第３蓋部フラップ３４、第４蓋部フラップ３６の上に折り重なるため、スリット５０と挿込片５２の噛合部は第３蓋部フラップ３４、第４蓋部フラップ３６の上部にあり、噛合部は上下方向の自由度を有する。このため野菜の形状が一定でないことにより、野菜が側壁部の上端より盛り上がってしまった場合にも、この盛り上がりを許容することができ、野菜を押さえつける等して傷つけることなく、蓋を閉じることができる。
また、スリット５０と挿込片５２の形状、位置を変化させることで野菜の種類や大きさに合わせて上下方向の自由度の異なる包装箱２を提供することができる。
また、包装箱２は１箇所の噛合部において蓋を封緘するため、スリット５０及び挿込片５２に無理な力が加わることにより噛合部が破損することを防止する必要がある。このため、第２蓋部フラップ３２には、第２蓋部フラップ３２の第１蓋部フラップ３０側で且つ側壁部側の角部を原点としたとき、第２蓋部フラップ３２の側端縁を０度として略４５度の方向に引いた境界線の原点から中点までの部分を、段ボール厚より広い幅で切り欠くことにより境界線の外側に挿込片５２が形成され、この挿込片５２には第２蓋部フラップ３２の上端縁と平行で且つ前記中点を通る線を中心線として、境界線と線対称となる折線５４が形成され、スリット５０は、挿込片５２の端部５２ａを折線５４で折り畳んだ状態で挿通可能なスリット幅を有している。
従って、この包装箱２によれば、挿込片５２の端部５２ａをスリット５０に合わせた最適な形状に常に折り畳むことができ、スリット５０及び挿込片５２に無理な力を加えることなく、挿込片５２をより容易にスリット５０に挿通できるため、噛合部の破損を防止することができる。また、挿通した状態で端部５２ａを元に戻すことにより、端部５２ａは完全に係止され、封緘時に挿込片５２を抜け難くすることができる。
一方、この包装箱２の底部を構成する第１底部フラップ１０、第２底部フラップ１２、第３底部フラップ１４、第４底部フラップ１６には夫々水抜き穴６８，７０，７２，７４が形成されている。
従って、この包装箱２によれば、水滴の出るおそれがある野菜や果物を梱包する場合であっても、これらの野菜等から出る水滴を良好に排出することができる。
さらに、この包装箱２の４つの側壁部は１方向に繋がり、側壁部の上下に蓋部、底部をなすフラップを設け、１枚のシート材により構成されている。
従って、この包装箱２によれば、シート材４の形状は略長方形となり、包装箱を構成するシート材の面積を最小限にすることができるため、製造原価を低減することができる。
また、シート材４は、段ボールから構成されているので、加工が容易であると共に、十分な強度を確保しつつ、製造原価を抑えることができる。
【０００７】
以上、本発明の一実施形態について説明したが、本発明は、種々の形態を採り得ることは言うまでもない。
例えば、本実施例では、第１蓋部フラップに３０にスリット５０、第２蓋部フラップ３２に挿込片５２を設けた場合を説明したが、これは逆でもよい。
【０００８】
また、底部は第１〜第４底部フラップ１０，１２，１４，１６を組み合わせて構成する必要はなく、例えば何れか１箇所の側壁部から連設された１枚の底板から構成されてもよい。
また、挿込片５２は上述のように４５度の方向に段ボール厚より広い幅の切り込みを入れることにより形成したが、スリットの形状、位置に合わせてこの切り込みの角度を変更してもよい。
【図面の簡単な説明】
【０００９】
【図１】実施例の包装箱を示す展開図である。
【図２】実施例の包装箱の組立途中を示す斜視図である。
【図３】実施例の包装箱の完成図を示す斜視図である。
【図４】実施例のスロットと挿込片との噛合部を示す拡大図である。
【符号の説明】
【００１０】
２…包装箱、４…シート材、１０…第１底部フラップ、１２…第２底部フラップ、１４…第３底部フラップ、１６…第４底部フラップ、２０…第１側壁部、２２…第２側壁部、２４…第３側壁部、２６…第４側壁部、３０…第１蓋部フラップ、３２…第２蓋部フラップ、３４…第３蓋部フラップ、３６…第４蓋部フラップ、５０…スリット、５２…挿込片、５２ａ…端部、５４…折線、６０，６２…通気穴、６４，６６…指掛け穴、６８，７０，７２，７４…水抜き穴、９０…接続部材、９０ａ…壁面部接続部、９０ｂ…フラップ接続部。
【図１】
0003107830.tif 000003
【図２】
0003107830.tif 000004
【図３】
0003107830.tif 000005
【図４】
0003107830.tif 000006